(57)【要約】　　　（修正有）【課題】　局部遮光でき、前方のホワイトボードの使用に影響を与えず、また、操作者がプロジェクタが正常な作動状態にあるか否かを判別しやすいようにする。【解決手段】　プロジェクタに使用される遮光装置を提供し、それは少なくとも一つの貫通部を具えた遮光片を具え、該遮光片はプロジェクタ内の投影光経路内に設置され、プロジェクタの投影を遮蔽して大部分の投影光を遮断し、小部分の投影光を該遮光片の貫通部を透過して射出させる。【選択図】図４
0003100163.tif 000002
【実用新案登録請求の範囲】
【請求項１】
　プロジェクタの投影光路内に設置されると共に少なくとも一つの貫通部を具えた遮光片を具え、該遮光片が投影光路中で大部分の投影光を遮断し、小部分の投影光に該貫通部を通過させて射出させることを特徴とする、プロジェクタ遮光装置。
【請求項２】
　遮光片の貫通部が有効投影エリアの下部に位置することを特徴とする、請求項１記載のプロジェクタ遮光装置。
【請求項３】
　遮光片の貫通部が有効投影エリアの左下角或いは右下角に位置することを特徴とする、請求項２記載のプロジェクタ遮光装置。
【請求項４】
　遮光片が可動式に投影光路中に設けられ、手動或いは駆動装置により遮光片の位置が投影光路を遮蔽するように調整可能であることを特徴とする、請求項１記載のプロジェクタ遮光装置。
【請求項５】
　遮光片がプロジェクタのケースに枢設され、枢軸を中心として回転して投影光を遮断或いは釈放することを特徴とする、請求項４記載のプロジェクタ遮光装置。
【請求項６】
　遮光片がプロジェクタのケース内に設置されて往復スライドして投影光を遮断或いは釈放することを特徴とする、請求項４記載のプロジェクタ遮光装置。
【請求項７】
　駆動装置がリモートコントローラーとされてリモートコントロール回路と組み合わされ遮光片を駆動することを特徴とする、請求項４記載のプロジェクタ遮光装置。
【請求項８】
　遮光装置が遮光片モジュールとされ、該遮光片モジュールが、移動方式でプロジェクタに配置されると共に少なくとも一つの貫通部を具えた遮光片と、コントロールスイッチと、遮光片の開放位置を検出する開放検出ユニットと、遮光片の閉合位置を検出する閉合検出ユニットと、遮光片を駆動して移動させる伝動装置と、を具え、コントロールスイッチの制御により伝動装置が作動して遮光片を駆動して移動させ、遮光片が開放検出ユニットに接触すると、該開放検出ユニットが伝動装置の伝動を停止させて遮光片の移動を停止させ、遮光片が投影光を釈放し、投影光がプロジェクタ外に投影され、遮光片が閉合検出ユニットに接触すると、閉合検出ユニットが伝動装置の伝動を停止させて遮光片に移動停止させ、遮光片が大部分の投影光を遮断して小部分の投影光に遮光片の貫通部を通過させて射出させることを特徴とする、請求項１記載のプロジェクタ遮光装置。
【請求項９】
　遮光片モジュールがコントロールユニットを具え、遮光片、コントロールスイッチ、開放検出ユニット、閉合検出ユニット、伝動装置が該コントロールユニットに接続され、該コントロールユニットが開放信号、閉合信号、開放停止信号、閉合停止信号を受け取ることを特徴とする、請求項８記載のプロジェクタ遮光装置。
【請求項１０】
　伝動装置が歯車と、遮光片の該歯車に対応する部分に設置された歯を具え、該歯車と歯の噛み合いにより、歯車が回転する時に遮光片が駆動され移動することを特徴とする、請求項８記載のプロジェクタ遮光装置。
【請求項１１】
　伝動装置が案内装置を具え、伝動装置が遮光片を駆動して案内装置上で往復移動させて投影光を遮断或いは釈放させることを特徴とする、請求項８記載のプロジェクタ遮光装置。
【請求項１２】
　案内装置が二つの相互に平行な案内ロッドとされたことを特徴とする、請求項１１記載のプロジェクタ遮光装置。
【請求項１３】
　遮光片が凸部を具え、該凸部により開放検出ユニット或いは閉合検出ユニットと接触することを特徴とする、請求項８記載のプロジェクタ遮光装置。
【請求項１４】
　遮光片モジュールが更にリモートコントロール回路を具えてリモートコントロール方式での駆動を提供することを特徴とする、請求項８記載のプロジェクタ遮光装置。
【請求項１５】
　遮光装置が複数の遮光片を固定軸に直列に接続し、該複数の遮光片が同期に適当な角度回転可能とされ、これにより遮光装置が光経路中に設置されて、遮光片が角度回転することで投影光の方向が偏移することを特徴とする、請求項１記載のプロジェクタ遮光装置。
【請求項１６】
　遮光片の回転角度が手動により或いは駆動装置により調整されることを特徴とする、請求項１５記載のプロジェクタ遮光装置。
【請求項１７】
　駆動装置がリモートコントローラーとされてリモートコントロール回路と組み合わされたことを特徴とする、請求項１６記載のプロジェクタ遮光装置。
【請求項１８】
　プロジェクタの投影光路内に設置されると共に遮光片を具えた遮光装置を具え、該遮光片が貫通部を具え、該遮光片により投影光の大部分が遮断され、小部分の遮光片が貫通部を通過して射出されることを特徴とする、プロジェクタ。
【請求項１９】
　遮光片が投影光を遮断する時にその放熱効率を高める放熱装置を具えたことを特徴とする、請求項１８記載のプロジェクタ。
【考案の詳細な説明】
【技術分野】
【０００１】
　本考案は一種のプロジェクタ遮光装置に係り、特に、局部遮光機能を具えたプロジェクタ遮光装置に関する。
【背景技術】
【０００２】
　一般にプロジェクタを使用する時はほとんどがホワイトボードが組み合わされ、ホワイトボードを使用する時は、プロジェクタを遮光（Ｂｌａｎｋ）して投影光がホワイトボードの表示に影響を与えるのを防止しなければならない。「遮光」とは言っても、デジタルプロジェクタの場合、その遮光方式は光学エンジンにより投影光を転向して投射方向より離し、通常は光学エンジンの上蓋或いは下蓋に反射させて、投影光がレンズより投射されないようにする。しかし、投影レンズを完全に遮蔽すると、操作者が正確にプロジェクタがオン状態であるか否かを判断できず、重複起動してしまうため、操作上の不便がもたらされ、また、プロジェクタの故障も形成しやすい。
【考案の開示】
【考案が解決しようとする課題】
【０００３】
　周知の技術の欠点を鑑み、本考案の主要な目的は、一種のプロジェクタ遮光装置を提供することにあるものとする。その特徴は、局部遮光でき、前方のホワイトボードの使用に影響を与えず、また、操作者がプロジェクタが正常な作動状態にあるか否かを判別しやすいようにしたことにある。
【課題を解決するための手段】
【０００４】
　請求項１の考案は、プロジェクタの投影光路内に設置されると共に少なくとも一つの貫通部を具えた遮光片を具え、該遮光片が投影光路中で大部分の投影光を遮断し、小部分の投影光に該貫通部を通過させて射出させることを特徴とする、プロジェクタ遮光装置としている。
　請求項２の考案は、遮光片の貫通部が有効投影エリアの下部に位置することを特徴とする、請求項１記載のプロジェクタ遮光装置としている。
　請求項３の考案は、遮光片の貫通部が有効投影エリアの左下角或いは右下角に位置することを特徴とする、請求項２記載のプロジェクタ遮光装置としている。
　請求項４の考案は、遮光片が可動式に投影光路中に設けられ、手動或いは駆動装置により遮光片の位置が投影光路を遮蔽するように調整可能であることを特徴とする、請求項１記載のプロジェクタ遮光装置としている。
　請求項５の考案は、遮光片がプロジェクタのケースに枢設され、枢軸を中心として回転して投影光を遮断或いは釈放することを特徴とする、請求項４記載のプロジェクタ遮光装置としている。
　請求項６の考案は、遮光片がプロジェクタのケース内に設置されて往復スライドして投影光を遮断或いは釈放することを特徴とする、請求項４記載のプロジェクタ遮光装置としている。
　請求項７の考案は、駆動装置がリモートコントローラーとされてリモートコントロール回路と組み合わされ遮光片を駆動することを特徴とする、請求項４記載のプロジェクタ遮光装置としている。
　請求項８の考案は、遮光装置が遮光片モジュールとされ、該遮光片モジュールが、移動方式でプロジェクタに配置されると共に少なくとも一つの貫通部を具えた遮光片と、コントロールスイッチと、遮光片の開放位置を検出する開放検出ユニットと、遮光片の閉合位置を検出する閉合検出ユニットと、遮光片を駆動して移動させる伝動装置と、を具え、コントロールスイッチの制御により伝動装置が作動して遮光片を駆動して移動させ、遮光片が開放検出ユニットに接触すると、該開放検出ユニットが伝動装置の伝動を停止させて遮光片の移動を停止させ、遮光片が投影光を釈放し、投影光がプロジェクタ外に投影され、遮光片が閉合検出ユニットに接触すると、閉合検出ユニットが伝動装置の伝動を停止させて遮光片に移動停止させ、遮光片が大部分の投影光を遮断して小部分の投影光に遮光片の貫通部を通過させて射出させることを特徴とする、請求項１記載のプロジェクタ遮光装置としている。
　請求項９の考案は、遮光片モジュールがコントロールユニットを具え、遮光片、コントロールスイッチ、開放検出ユニット、閉合検出ユニット、伝動装置が該コントロールユニットに接続され、該コントロールユニットが開放信号、閉合信号、開放停止信号、閉合停止信号を受け取ることを特徴とする、請求項８記載のプロジェクタ遮光装置としている。
　請求項１０の考案は、伝動装置が歯車と、遮光片の該歯車に対応する部分に設置された歯を具え、該歯車と歯の噛み合いにより、歯車が回転する時に遮光片が駆動され移動することを特徴とする、請求項８記載のプロジェクタ遮光装置としている。
　請求項１１の考案は、伝動装置が案内装置を具え、伝動装置が遮光片を駆動して案内装置上で往復移動させて投影光を遮断或いは釈放させることを特徴とする、請求項８記載のプロジェクタ遮光装置としている。
　請求項１２の考案は、案内装置が二つの相互に平行な案内ロッドとされたことを特徴とする、請求項１１記載のプロジェクタ遮光装置としている。
　請求項１３の考案は、遮光片が凸部を具え、該凸部により開放検出ユニット或いは閉合検出ユニットと接触することを特徴とする、請求項８記載のプロジェクタ遮光装置としている。
　請求項１４の考案は、遮光片モジュールが更にリモートコントロール回路を具えてリモートコントロール方式での駆動を提供することを特徴とする、請求項８記載のプロジェクタ遮光装置としている。
　請求項１５の考案は、遮光装置が複数の遮光片を固定軸に直列に接続し、該複数の遮光片が同期に適当な角度回転可能とされ、これにより遮光装置が光経路中に設置されて、遮光片が角度回転することで投影光の方向が偏移することを特徴とする、請求項１記載のプロジェクタ遮光装置としている。
　請求項１６の考案は、遮光片の回転角度が手動により或いは駆動装置により調整されることを特徴とする、請求項１５記載のプロジェクタ遮光装置としている。
　請求項１７の考案は、駆動装置がリモートコントローラーとされてリモートコントロール回路と組み合わされたことを特徴とする、請求項１６記載のプロジェクタ遮光装置としている。
　請求項１８の考案は、プロジェクタの投影光路内に設置されると共に遮光片を具えた遮光装置を具え、該遮光片が貫通部を具え、該遮光片により投影光の大部分が遮断され、小部分の遮光片が貫通部を通過して射出されることを特徴とする、プロジェクタとしている。
　請求項１９の考案は、遮光片が投影光を遮断する時にその放熱効率を高める放熱装置を具えたことを特徴とする、請求項１８記載のプロジェクタとしている。
【考案の効果】
【０００５】
　本考案は周知の技術の欠点を解決し、本考案のプロジェクタ遮光装置は、局部遮光でき、前方のホワイトボードの使用に影響を与えず、また、操作者がプロジェクタが正常な作動状態にあるか否かを判別しやすいようにしている。
【考案を実施するための最良の形態】
【０００６】
　図１、図２に示されるように、デジタルプロジェクタ１０はケース１１を具え、その内部には光源１２、デジタルマイクロミラー装置１４（ＤＭＤ；Ｄｉｇｉｔａｌ　Ｍｉｃｒｏ−ｍｉｒｒｏｒ　Ｄｅｖｉｃｅ）、光学エンジン１３、レンズ１５、制御回路１６、放熱装置１７を具え、投影光は光源１２より送出された後、光学エンジン１３で反射されてデジタルマイクロミラー装置１４に至るよう反射制御され、さらにレンズ１５より射出されてホワイトボード或いはスクリーン上に投影され、連続する光経路Ａ、Ｂ、Ｃ、Ｄを形成する。この光経路の特性により、本考案によると、光経路Ａ、Ｂ、Ｃ、Ｄの任意の投影経路内に大部分の投影光を遮断して小部分の投影光を透過させる遮光装置が設置される。該遮光装置の実施態様には多種類があり、図３に示されるように、遮光片２０がレンズ１５の前に設置され、且つ遮光片２０の大きさが完全にレンズ１５を被覆できるものとされ、遮光片２０のレンズ１５の有効投影エリア１５１に対応する部分内に貫通部２１が設けられうる。本実施例では、該貫通部２１は有効投影エリア１５１の右下角に設置される。当然、有効投影エリア１５１の左下角或いはその他の位置に設置することも可能である。その数量も一つとは限らないが、一般の操作習慣によると、該貫通部２１は有効投影エリア１５１の右下角に設置され、且つその数量は一つとされる。また、プロジェクタ１０が遮光状態にある時、放熱装置１７を駆動して放熱を強化することができる。
【０００７】
　さらに図４に示されるように、プロジェクタ１０はホワイトボード３０前方の適当な距離部分に置かれ、遮光片２０によりレンズ１５の前が遮蔽され、大部分の投影光が遮断され、小部分の投影光が該遮光片２０の貫通部２１を通過して射出される。これによりホワイトボード３０の大部分のエリアの表示は暗区３１（斜線部分）とされ、僅かにホワイトボードの左下角（有効投影エリア１５１の右下角の鏡射）が明区３２とされる。該明区３２の表示により、操作者がプロジェクタ１０が起動状態であるかを判断するのに有利である。
【０００８】
　該遮光片２０とプロジェクタ１０の結合方式及び遮光片２０の作動方式には多くの種類があるが、ここでは好ましい実施例について説明する。
【０００９】
　先ず図５に示されるように、該遮光片１２０は扁平単片状を呈し、該遮光片１２０内に貫通部１２１が設けられ、該遮光片１２０はプロジェクタ１０のケース１１の滑り溝１１１内に嵌め込まれ、該遮光片１２０は滑り溝１１１をスライドでき、これにより遮光片１２０がレンズ１５を被覆或いは釈放できる。遮光片１２０がレンズ１５の前を遮蔽する時、レンズ１５より投影される大部分の投影光は遮断され小部分の投影光が貫通部１２１より射出され、これにより図４に示されるホワイトボード３０上への投影の効果を形成できる。該遮光片１２０を駆動してスライドさせる方式は、手動方式とされるか、或いはプロジェクタ１０にリモートコントロール回路が設けられてリモートコントローラーで制御する方式とされ、遮光片１２０のスライドを順調とするため、滑り溝１１１内に軸受或いは歯車を組み合せることが可能で、これは周知の技術であるため説明は省略する。
【００１０】
　また図６の実施例では、遮光片２２０が扁平単片状を呈し、該遮光片２２０内に貫通部２２１が設けられ、該遮光片２２０はプロジェクタ１０のケース１１に設けられた枢軸１１２に枢設され、これにより遮光片２２０が枢軸１１２を中心として回転可能とされ、遮光片２２０がこれによりレンズ１５を被覆或いは釈放する。遮光片２２０がレンズ１５の前を被覆する時、レンズ１５より投影される大部分の投影光は遮断され小部分の投影光が貫通部２２１より射出され、これにより図４に示されるホワイトボード３０上への投影の効果を形成できる。該遮光片２２０は手動により或いはプロジェクタ１０にリモートコントロール回路が設置されてリモートコントローラーによりその回転が制御される。
【００１１】
　図７は本考案のまた別の実施例表示図である。プロジェクタ１０のケース１１内部に遮光片モジュール３２０が設置され、該遮光片モジュール３２０は遮光片３２１、コントロールスイッチ３２２、コントロールユニット３２３、開放検出ユニット３２４、閉合検出ユニット３２５を具え、該遮光片３２１は伝動装置３２６に駆動されてレンズ１５を被覆或いは釈放し、該遮光片３２１、コントロールスイッチ３２２、開放検出ユニット３２４、閉合検出ユニット３２５、伝動装置３２６はいずれもコントロールユニット３２３に接続され、コントロールスイッチ３２２がオンされることにより電源が連通してコントロールユニット３２３が作動する。
【００１２】
　前述の伝動装置３２６は、相互に平行な二つの案内ロッド３２６１、３２６２を具え、該案内ロッド３２６１、３２６２は固定柱３２６３によりケース１１内に位置決めされ且つレンズ１５の両側に設けられ、遮光片３２１の一側に歯車３２６４が設けられ、遮光片３２１の歯車３２６４に対向する側縁に歯３２１２が設けられている。歯車３２６４が時計回り或いは逆時計回りに回転する時、歯３２１２により遮光片３２１が駆動されて案内ロッド３２６１、３２６２上で案内ロッド３２６１、３２６２と同軸方向の往復移動を行ない、遮光片３２１がこれによりレンズ１５を被覆或いは釈放する。該遮光片３２１にあってレンズ１５の有効投影エリア１５１内に対応する位置内に貫通部２１が設けられている。
【００１３】
　該遮光片３２１の開放検出ユニット３２４と閉合検出ユニット３２５に向いた一側の適当な部分に凸部３２１３が設けられ、遮光片３２１がレンズ１５を未被覆であって、即ち遮光片３２１がレンズ１５上方に位置する時、該凸部３２１３が開放検出ユニット３２４に接触し、開放検出ユニット３２４が遮光片３２１が開放位置に到達したことを検出し、並びにこれにより開放停止信号をコントロールユニット３２３に出力し、コントロールユニット３２３が歯車３２６４を制御し回転停止させ、遮光片３２１が移動を停止する。遮光片３２１が降下し並びにレンズ１５を被覆する時、該凸部３２１３が閉合検出ユニット３２５に接触すると、閉合検出ユニット３２５は遮光片３２１がすでに閉合位置に到達したことを検出し、並びに閉合停止信号をコントロールユニット３２３に送り、コントロールユニット３２３の制御により歯車３２６４が回転停止し、遮光片３２１もまた移動停止する。簡単に言うと、本実施例は遮光片３２１に歯車３２６４と噛み合う歯３２１２が設けられ、歯車３２６４により遮光片３２１を駆動して移動させてレンズ１５を被覆或いは釈放させ、遮光片３２１がレンズ１５を被覆する時、レンズ１５を通過し投影される大部分の投影光を遮断し、小部分の投影光を貫通部３２１１より射出させ、これにより図４に示されるホワイトボード３０への投影の効果を形成する。該遮光片モジュール３２０は更にリモートコントロール回路を具えて操作者によるリモートコントロール制御に供され得る。
【００１４】
　図８及び図９を参照されたい。この実施例ではブラインドのような遮光装置４２０が設置される。それは複数の遮光片４２１が固定軸４２２に直列に接続されて、遮光片４２１が制御されて固定軸４２２を軸心とし同期に回転し、該遮光片４２１の回転角度の違いにより投影光Ｌの射出の空間が提供されるか、或いは投影光Ｌの投影方向が改変される。図９に示されるように、投影光Ｌが水平射出される時、遮光片４２１が同期に上に回転するよう調整されてほぼ水平状態を呈するものとされ、これにより投影光Ｌが遮光片４２１の間より投射され、遮光片４２１を同期に下向きに適当な角度回転させる時、投影光Ｌは遮光片４２１の阻止により方向を改変し、遮光片４２１が高い反射性を具備する時、投影光Ｌは完全に他の角度に反射され、遮光片４２１の反射性が比較的低い時は、一部の投影光Ｌが消滅し、一部の投影光Ｌだけが反射される。どの場合も本実施例の充填は、遮光装置４２０の遮光片４２１角度の制御により投影光Ｌの投影方向を改変することにあり、一般に、プロジェクタで投影を行なう時、その投影光Ｌの投影方向は水平か或いは水平方向よりやや高くされ、投影光Ｌの方向を制御してその投影するスクリーンの方向より下向きとするのがよい。当然、遮光片４２１をその他の角度に回転させて投影光Ｌをその他の方向に向けることもできるが、下向きとするのが好ましい。これにより、投影光Ｌの投影方向を改変した後、ホワイトボード或いはスクリーンの下方に投影され、操作者がプロジェクタが作動状態であることを判断するのに有利とされる。また、遮光片４２１に適当な大きさ或いは数量の貫通部（図示せず）を設置可能で、小部分の投影光を貫通部より射出してホワイトボード或いはスクリーンに投影し、図４のようなホワイトボード３０への投影の効果を形成することができる。この遮光装置４２０は手動により或いはプロジェクタ１０にリモートコントロール回路を設けてリモートコントローラーにより遮光片４２１の回転が制御されうる。
【００１５】
　本考案はプロジェクタの光経路に遮光装置を設置し、遮光装置により大部分の投影光を遮断して小部分の投影光を透過させるか、或いは投影光の方向を改変する方法により、プロジェクタ操作者が容易にプロジェクタの作動状態を判断できるようにしている。本考案はデジタルプロジェクタに適用されるほか、その他のタイプのプロジェクタにも適用でき、デジタルプロジェクタは本考案の実施例に過ぎず、本考案の範囲を限定するものではなく、本考案に基づきなしうる細部の修飾或いは改変は、いずれも本考案の請求範囲に属するものとする。
【図面の簡単な説明】
【００１６】
【図１】周知のプロジェクタの内部構造表示図である。
【図２】周知のプロジェクタの光経路表示図である。
【図３】本考案をプロジェクタのレンズに組み合わせた表示図である。
【図４】本考案の遮光状態表示図である。
【図５】本考案の遮光片とプロジェクタのケースを結合させた実施例図である。
【図６】本考案の遮光片とプロジェクタのケースを結合させた別の実施例図である。
【図７】本考案の遮光片モジュールの構造表示図である。
【図８】本考案の遮光装置の別の実施例の作動表示図である。
【図９】本考案の遮光装置の別の実施例の作動表示図である。
【符号の説明】
【００１７】
１０　プロジェクタ
１１　ケース
１１１　滑り溝
１１２　枢軸
１２　光源
１３　光学エンジン
１４　デジタルマイクロミラー装置
１５　レンズ
１５１　有効投影エリア
１６　制御回路
１７　放熱装置
２０、１２０、２２０　遮光片
２１、１２１、２２１　貫通部
３０　ホワイトボード
３１　暗区
３２　明区
３２０　遮光片モジュール
３２１　遮光片
３２１１　貫通部
３２１２　歯
３２１３　凸部
３２２　コントロールスイッチ
３２３　コントロールユニット
３２４　開放検出ユニット
３２５　閉合検出ユニット
３２６　伝動装置
３２６１、３２６２　案内ロッド
３２６３　固定柱
３２６４　歯車
４２０　遮光装置
４２１　遮光片
４２２　固定軸
Ａ、Ｂ、Ｃ、Ｄ　光経路
Ｌ　投影光
　
【図１】
0003100163.tif 000003
【図２】
0003100163.tif 000004
【図３】
0003100163.tif 000005
【図４】
0003100163.tif 000006
【図５】
0003100163.tif 000007
【図６】
0003100163.tif 000008
【図７】
0003100163.tif 000009
【図８】
0003100163.tif 000010
【図９】
0003100163.tif 000011